(57)【要約】【課題】常に安定した回転ブラシの回転数制御ができる電気掃除機用吸込具の提供。【解決手段】電気掃除機の電動送風機４９の吸引力が作用する吸込風路を塵埃が通過したことを検出する塵埃検出手段３８と、塵埃検出手段３８の出力に応じて報知を行う塵埃報知手段４７と、電動送風機４９の吸引力により回転するタービンの回転力によって発電する発電機３５と、塵埃を掻き上げると共にタービンと連動する回転ブラシと、発電機３５の発電電圧または発電電流を検出する発電量検出手段７１と、タービンへの吸気量を調整する風量調整手段４２とを備え、発電量検出手段７１の出力に応じて回転ブラシの回転数を制御すると共に、塵埃検知時に、塵埃報知手段４７の動作と連動して回転ブラシの回転数を上げるもので、吸引風の大小および被清掃面の種類に関係なく、常に安定した回転ブラシの回転数制御ができる。【選択図】図４
2013230171.tif 000002
【特許請求の範囲】
【請求項１】
電気掃除機に内蔵された電動送風機の吸引力が作用する吸込風路を塵埃が通過したことを検出する塵埃検出手段と、前記塵埃検出手段の出力に応じて報知を行う塵埃報知手段と、前記電動送風機の吸引力により回転するタービンと、前記タービンの回転力によって発電する発電手段と、塵埃を掻き上げると共に前記タービンと連動する回転ブラシと、前記発電手段の発電電圧または発電電流を検出する発電量検出手段と、前記タービンへの吸気量を調整する風量調整弁と、前記風量調整弁を駆動する風量調整手段とを備え、前記発電量検出手段の出力に応じて前記風量調整手段にて前記風量調整弁の調整を行い、前記回転ブラシの回転数を制御すると共に、塵埃検知時に、前記塵埃報知手段の動作と連動して前記回転ブラシの回転数を上げることを特徴とする電気掃除機用吸込具。
【請求項２】
清掃面の種類を検出する清掃面検出手段を備え、塵埃が絡みつき吸い上げにくい絨毯のような清掃面であるときには清掃面が床であるときより回転ブラシの回転数を上げることを特徴とする請求項１に記載の電気掃除機用吸込具。
【請求項３】
塵埃検出手段と塵埃報知手段の電源供給電圧を検出する電圧検出手段と、前記電圧検出手段の出力が予め設定している電圧以上のときに、前記塵埃検出手段と前記塵埃報知手段が動作していることを報知する動作報知手段とを備えた請求項１または２に記載の電気掃除機用吸込具。
【請求項４】
請求項１〜３のいずれか１項に記載の電気掃除機用吸込具を備えた電気掃除機。
【発明の詳細な説明】
【技術分野】
【０００１】
本発明は、電気掃除機に接続される電気掃除機用吸込具及びそれを備えた電気掃除機に関するものである。
【背景技術】
【０００２】
従来、この種の電気掃除機用吸込具として、電気掃除機の掃除機本体の吸引力を利用して回転する回転ブラシと、掃除機本体の吸引力を利用して風車が回転することで生じた回転力により電源電圧を供給する発電機を内蔵し、吸引される塵埃を検知する塵埃検出手段と、塵埃検出手段の出力に応じて表示を行う表示部への電源供給を行う電気掃除機用吸込具が提案されている（例えば、特許文献１参照）。
【先行技術文献】
【特許文献】
【０００３】
【特許文献１】特許第３０４０３３７号公報
【発明の概要】
【発明が解決しようとする課題】
【０００４】
しかしながら、上記特許文献１に記載された従来の電気掃除機用吸込具の構成では、回転ブラシは掃除機本体の吸引力を利用して回転しているため、塵埃検知時に塵埃報知表示を行うのみで、吸い込み性能を向上させるために塵埃検知に連動して回転ブラシの回転数を上げることができないため、効率的な掃除ができず使い勝手が悪いという課題があった。
【０００５】
また、上記のような電気掃除機用吸込具では、吸引風の大小および被清掃面の種類により回転ブラシの回転数が変動し安定せず、回転数が高いときは騒音が大きくなったり、ベアリングの焼けが発生する、回転数が低すぎるときは吸い込み性能が低下するといった課題があった。
【０００６】
本発明は、上記従来の課題を解決するもので、吸引風の大小および被清掃面の種類に関係なく、常に安定した回転ブラシの回転数制御ができ、塵埃検知時には塵埃報知表示と連動して回転ブラシの回転数を上げ吸い込み性能を向上させることができる使い勝手のよい電気掃除機用吸込具および電気掃除機を提供することを目的とする。
【課題を解決するための手段】
【０００７】
前記従来の課題を解決するために本発明の電気掃除機用吸込具は、電気掃除機に内蔵された電動送風機の吸引力が作用する吸込風路を塵埃が通過したことを検出する塵埃検出手段と、前記塵埃検出手段の出力に応じて報知を行う塵埃報知手段と、前記電動送風機の吸引力により回転するタービンと、前記タービンの回転力によって発電する発電手段と、塵埃を掻き上げると共に前記タービンと連動する回転ブラシと、前記発電手段の発電電圧または発電電流を検出する発電量検出手段と、前記タービンへの吸気量を調整する風量調整弁と、前記風量調整弁を駆動する風量調整手段とを備え、前記発電量検出手段の出力に応じて前記風量調整手段にて前記風量調整弁の調整を行い、前記回転ブラシの回転数を制御すると共に、塵埃検知時に、前記塵埃報知手段の動作と連動して前記回転ブラシの回転数を上げるもので、吸引風の大小および被清掃面の種類に関係なく、常に安定した回転ブラシの回転数制御ができ、塵埃検知時には、前記塵埃報知表示と連動して回転ブラシの回転数を上げることにより、吸い込み性能を向上させることができる。
【０００８】
又、本発明の電気掃除機は、請求項１〜３のいずれか１項に記載の電気掃除機用吸込具を備えたもので、効率的な掃除ができ使い勝手のよい電気掃除機を提供することができる。
【発明の効果】
【０００９】
本発明の電気掃除機用吸込具は、吸引風の大小および被清掃面の種類に関係なく、常に安定した回転ブラシの回転数制御ができ、塵埃検知時には塵埃報知表示と連動して回転ブラシの回転数を上げ吸い込み性能を向上させることができるもので、この電気掃除機用吸込具を電気掃除機に接続することで、使い勝手のよい電気掃除機を提供することができる。
【図面の簡単な説明】
【００１０】
【図１】本発明の実施の形態１における電気掃除機用吸込具の右前側から見た斜視図
【図２】同電気掃除機用吸込具の左側断面図
【図３】同電気掃除機用吸込具の内部構成を示す右上側から見た斜視図
【図４】同電気掃除機用吸込具及び電気掃除機の制御ブロック図
【図５】本発明の実施の形態２における電気掃除機用吸込具及び電気掃除機の制御ブロック図
【発明を実施するための形態】
【００１１】
第１発明は、電気掃除機に内蔵された電動送風機の吸引力が作用する吸込風路を塵埃が通過したことを検出する塵埃検出手段と、前記塵埃検出手段の出力に応じて報知を行う塵埃報知手段と、前記電動送風機の吸引力により回転するタービンと、前記タービンの回転力によって発電する発電手段と、塵埃を掻き上げると共に前記タービンと連動する回転ブラシと、前記発電手段の発電電圧または発電電流を検出する発電量検出手段と、前記タービンへの吸気量を調整する風量調整弁と、前記風量調整弁を駆動する風量調整手段とを備え、前記発電量検出手段の出力に応じて前記風量調整手段にて前記風量調整弁の調整を行い、前記回転ブラシの回転数を制御すると共に、塵埃検知時に、前記塵埃報知手段の動作と連動して前記回転ブラシの回転数を上げるもので、吸引風の大小および被清掃面の種類に関係なく、常に安定した回転ブラシの回転数制御ができ、塵埃検知時には、前記塵埃報知表示と連動して回転ブラシの回転数を上げることにより、吸い込み性能を向上させることができる。
【００１２】
第２の発明は、特に、第１の発明に係る電気掃除機用吸込具において、清掃面の種類を検出する清掃面検出手段を備え、塵埃が絡みつき吸い上げにくい絨毯のような清掃面であるときには清掃面が床であるときより回転ブラシの回転数を上げるもので、吸い込み性能を向上させることができる。
【００１３】
第３の発明は、特に、第１又は第２の発明の塵埃検出手段と塵埃報知手段の電源供給電圧を検出する電圧検出手段と、前記電圧検出手段の出力が予め設定している電圧以上のときに、前記塵埃検出手段と前記塵埃報知手段が動作していることを報知する動作報知手段とを備えもので、使用者に塵埃検出手段と塵埃報知手段が正常に動作していることを知らせることができる。
【００１４】
第４の発明に係る電気掃除機は、請求項１〜３のいずれか１項に記載の電気掃除機用吸込具を備えたもので、効率的な掃除ができ使い勝手のよい電気掃除機を提供することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における電気掃除機用吸込具の右前側から見た斜視図、図２は、同電気掃除機用吸込具の左側断面図、図３は、同電気掃除機用吸込具の内部構成を示す右上側から見た斜視図、図４は、同電気掃除機用吸込具及び電気掃除機の制御ブロック図である。
【００１７】
以下では、本実施の形態における電気掃除機用吸込具（以下「吸込具１」という）は、図１における姿勢を基準として、吸込具１の前後左右方向を規定する。図１において、手前側が前側であり、奥側が後側である。また、左右方向は、幅方向と同義である。なお、吸込具１は、清掃面Ｘ上に配置されて清掃面Ｘ上を清掃可能な状態にある。
【００１８】
図１を参照して、吸込具１は、ハウジング２と、ベンドパイプ３とを含んでいる。ハウジング２は、幅方向に長手かつ上下方向に扁平で中空のボックス形状である。ハウジング２の底面２Ａには、吸込口４（後述）が形成されている。ハウジング２の右面の後側には、上向きに膨出する略半円形状の開口６が形成されている。開口６は、所定の大きさの網目を有するネット２４によって覆われている。吸込口４、および開口６は、ハウジング２内に連通している。
【００１９】
ハウジング２の後面の幅方向中央には、接続筒９が取り付けられている。接続筒９は、前後方向に延びる中心軸を有する略円筒状であり、ハウジング２の後面に対して後から挿通され、ハウジング２によって、上述した中心軸を中心として回動自在に支持されており、ハウジング２の一部となっている。接続筒９の内部は、ハウジング２内に連通している。
ベンドパイプ３は、図１では前後方向に長手であり、その前端３Ａは、略球体状に形成されている。ベンドパイプ３の前端３Ａは、ハウジング２の接続筒９の切欠き部９Ａに対して後から挿通されており、これによって、ベンドパイプ３は、接続筒９（ハウジング２）によって支持されている。この状態で、ベンドパイプ３は、前端３Ａを支点として、接続筒９に対して回動自在である。
【００２０】
図１では、ベンドパイプ３は、上下に回動自在である。そして、接続筒９が、前後方向に延びる中心軸を中心として回動自在であることから、ベンドパイプ３は、接続筒９に対して回動しつつ、接続筒９とともに、前後方向に延びる中心軸を中心として回動することができる。ベンドパイプ３の内部は、接続筒９の内部を介して、ハウジング２内に連通している。ベンドパイプ３の後端３Ｂは、ホース（図示せず）等を介して、電気掃除機の掃除機本体（図示せず）に接続される。
【００２１】
掃除機本体が運転されると、掃除機本体では吸引力が発生し、この吸引力が、ベンドパイプ３およびハウジング２の内部に作用する。これにより、ハウジング２の底面の上述した吸込口４（図２参照）から、ハウジング２の外部の空気がハウジング２内に吸引される。そのため、吸込口４を清掃面に対向させると、清掃面上の塵埃が、吸込口４からハウジング２内に吸引される空気に乗って、吸込口４からハウジング２内に吸引され、その後、ベンドパイプ３、上述したホースを介して、掃除機本体に至り、掃除機本体内に溜められる。
【００２２】
図２、３において、上述した吸込口４は、ハウジング２の底面２Ａにおいて前側に偏った位置に形成されている。吸込口４は、幅方向に長手の矩形状である。ハウジング２内には、回転ブラシ１０が設けられている。回転ブラシ１０は、幅方向に沿って延びる回転軸１０Ａと、回転軸１０Ａの外周面に植立されたブラシ１０Ｂとを備えている。
【００２３】
回転軸１０Ａの左端部は、軸受２２を介して、ハウジング２の左端部によって回転自在に支持されており、回転軸１０Ａの右端部は、軸受２２を介して、ハウジング２の右端部によって回転自在に支持されている。この状態で、回転ブラシ１０の下側部分は、吸込口４から下側へ露出されている。つまり、回転ブラシ１０は、ハウジング２に回転可能に設けられ、吸込口４に臨んでいる。
【００２４】
そして、ハウジング２の後面には、接続筒９を幅方向から挟みつつ後側へ延びる一対の延設部１１が一体的に設けられている。各延設部１１の後端には、ローラ１２が回転自在に設けられている。ローラ１２が清掃面Ｘ（図１を参照）上で回転することによって、ハウジング２を清掃面Ｘ上で円滑に移動させることができる。
【００２５】
図２に示すように、ハウジング２内には、吸込風路１４が区画されている。吸込風路１４は、太い破線矢印で示すように、吸込口４から後上側（図２では左上側）へ延び、ベンドパイプ３の前端３Ａへと連通している。ここで、上述した接続筒９の内部は、吸込風路１４の一部をなしている。
【００２６】
ベンドパイプ３の上面には、平坦部４３が形成されていて、この平坦部４３を被覆するようにパイプカバー３３がビス３４によって取付けられている。パイプカバー３３と前記平坦部４３との間に形成される空間４０には、制御基板３６、ＬＥＤなどの表示素子からなる塵埃報知手段４７、受光素子３８ａが配置されている。また、パイプカバー３３に、ベンドパイプ３の周囲を取囲むリングカバー３９が組付けられていて、そのリングカバー３９の下側空間に発光素子３８ｂが配置されている。
【００２７】
受光素子３８ａと発光素子３８ｂとは、メイン吸気通路Ｔを挟んだ対向位置に配されて、光電式の塵埃検出手段３８を構成する。受光素子３８ａは、図２に明示されるように、前記平坦部４３の略同一面側近傍でかつメイン吸気通路Ｔの下流側に設けられている。これら受光素子３８ａ及び発光素子３８ｂは、透明ホルダー３８ｃ、３８ｄによって保護され、塵埃による傷付きを防止している。また、平坦部４３には、受光素子３８ａに対する光通過用の開口４３ｃが、ベンドパイプ３には発光素子３８ｂに対する光通過用の開口４４が夫々形成されている。
【００２８】
塵埃報知手段４７は、前記メイン吸気通路Ｔを流れる空気中の塵埃が所定量以上のとき、塵埃検出手段３８の検出に基いて点灯するものである。この点灯を外部から知ることができるよう、パイプカバー３３の塵埃報知手段４７に対応する箇所は、透明窓３３ｃとなっている。
【００２９】
制御基板３６は、塵埃検出手段３８、塵埃報知手段４７と共に電子回路を構成し、前記平坦部４３上の基板取付座４３ｄ上に着座し、パイプカバー３３の基板取付部３３ｄで固定されている。
【００３０】
また、リングカバー３９は、ベンドパイプ３及びパイプカバー３３に組み付けられる。
【００３１】
図３に示すように、吸込風路１４は、幅方向に長手の吸込口４とハウジング２の後面の幅方向中央に配置されたベンドパイプ３とを連通させていることから、上から見て、後側に向かって幅狭となる凸状をなしている。
【００３２】
ここで、ハウジング２内には、タービン用風路１５が、吸込風路１４とは別に区画されている。タービン用風路１５は、ハウジング２内において、右後側（吸込口４の右側部分より後側）の領域に区画されている。タービン用風路１５は、幅方向に延びている。タービン用風路１５の右端部は、上述したハウジング２の右面の開口６（図１参照）に連通し
ている。
【００３３】
タービン用風路１５の左端部１５Ａは、幅方向に長手で風量調整弁（図示せず）を有する中空のボックス形状であり、吸込風路１４の後端部（詳しくは接続筒９より手前側の部分）に上から連通している。つまり、タービン用風路１５は、開口６（図１参照）から吸込風路１４へと連通している。
【００３４】
吸込風路１４とタービン用風路１５（左端部１５Ａ）との連通部分１６は、吸込風路１４の後端部の上側部分に形成されている。連通部分１６は、吸込風路１４に沿って後上側へ延びる幅広で略Ｕ字状の縁１７（ハッチングを施した部分を参照）によって区画された幅広で略矩形状の穴である。
【００３５】
そして、タービン用風路１５には、タービン１８が設けられている。タービン１８は、幅方向に延びる回転軸１８Ａと、回転軸１８Ａに固定された羽根１８Ｂとを一体的に備えている。回転軸１８Ａの右端部は、軸受１９を介して、ハウジング２の右端部に回転自在に支持されている。そのため、タービン１８全体は、回転軸１８Ａを中心として回転自在である。
【００３６】
ここで、タービン１８の回転軸１８Ａの右端部（詳しくは軸受１９より左側の部分）には、タービンプーリー２０が取り付けられており、回転ブラシ１０の回転軸１０Ａの右端部（詳しくは右側の軸受２２より左側の部分）には、ブラシプーリー２１Ａが取り付けられている。タービンプーリー２０とブラシプーリー２１Ａとは、幅方向において、ほぼ同じ位置にあり、タービンプーリー２０とブラシプーリー２１Ａとの間には、ベルト（図示せず）が巻回されている。これにより、回転ブラシ１０とタービン１８とが連結されている。
【００３７】
さらに、回転ブラシ１０の回転軸１０Ａの左端部（詳しくは左側の軸受２２より右側の部分）にも、ブラシプーリー２１Ｂが取り付けられており、ハウジング２内において、左後側（吸込口４の左側部分より後側）に配置された発電機３５の回転軸（図示せず）に取り付けられた発電機プーリー３２とは、幅方向において、ほぼ同じ位置にあり、ブラシプーリー２１Ｂと発電機プーリー３２との間には、ベルト（図示せず）が巻回されている。これにより回転ブラシ１０と発電機３５の回転軸が連結されている。
【００３８】
以上のように構成された吸込具１を電気掃除機の掃除機本体（図示せず）に、延長管（図示せず）、ホース（図示せず）を介して連通接続し、掃除機本体を運転すると、掃除機本体で吸引力が発生する。この吸引力は、上述したようにベンドパイプ３内および吸込風路１４内に作用し、さらに、連通部分１６を介して、タービン用風路１５内にも作用する。これにより、ハウジング２の外の空気が、開口６からタービン用風路１５内に流入してタービン用風路１５内を左側へ流れ、連通部分１６から吸込風路１４に至る（図示した太い破線矢印参照）。
【００３９】
そして、タービン１８は、このように開口６から流入してタービン用風路１５内を流れる空気を羽根１８Ｂで受けることによって、この空気により回転される。タービン１８が回転することによって、上述したようにタービン１８に連結された回転ブラシ１０も回転する。さらに、回転ブラシ１０が回転することによって、上述したように回転ブラシ１０と連結した発電機３５の回転軸も回転する。
【００４０】
換言すれば、タービン１８は、その回転力によって、回転ブラシ１０を回転させるとともに発電機３５により発電を行う。なお、上述したように開口６がネット２４によって覆われているので、ハウジング２の外の塵埃が、空気に伴われて開口６からタービン用風路
１５内に流入することはない。
【００４１】
制御基板２９は、ハウジング２内において、左後側（吸込口４の左側部分より後側）に配置されており、発電機３５により発電されたエネルギーを電源とし、塵埃検出手段３８、塵埃報知手段４７、および前述した風量調整弁を駆動調整する風量調整手段４２と共に塵埃検知用の電子回路を構成する。
【００４２】
次に、図４を用いて、本実施の形態における吸込具及びそれが連通するように接続された電気掃除機の制御方法について説明する。図４は、吸込具１及び電気掃除機の制御ブロック図である。
【００４３】
掃除機本体内に設けた通電検知手段６１は、掃除機本体が商用電源５０に接続され、通電されたかどうかを検知するものであり、検知信号を本体制御手段６２に出力している。
【００４４】
本体制御手段６２は、マイクロコンピュータなどにより構成されており、通電検知手段６１の検知情報及び、使用者によって手元操作部２５より入力された操作情報に基づき、電動送風機駆動手段６３へ位相制御するための点弧パルスを出力する制御を行っている。
【００４５】
電動送風機駆動手段６３は、掃除機本体に内蔵された電動送風機４９を駆動するための双方向性サイリスタなどで構成された駆動手段であり、電動送風機４９を位相制御し吸込み力を可変させている。発電機３５は、電動送風機４９からの吸引風でタービン１８が回転することにより、発電するものであり、発電された電力を制御基板３６に供給している。
【００４６】
風量調整手段４２は、電動機などから構成され、タービン用風路１５に設けられた風量調整弁（図示せず）を駆動して、タービン１８に流入する吸込み風の吸気量を調整するためのものである。
【００４７】
塵埃検出手段３８は、対向して発光素子３８ｂと受光素子３８ａを備えており、その間に塵埃が通過すると、受光素子３８ａの受光量が変化し、その受光量に対応して受光素子３８ａの出力電圧も変化する。増幅器３８ｄは、受光素子３８ａの変化量（交流成分）のみを増幅して、その交流成分の振幅に応じた電圧を制御手段７２に出力し、塵埃を検出している。
【００４８】
発電量検出手段７１は、発電機３５の発電電圧または、発電電流を検出して、発電量を検出するものであり、制御手段７２に出力している。制御手段７２は、発電機３５からの電源供給にて動作しており、塵埃検出手段３８の信号処理や塵埃報知手段４７の動作や、風量調整手段４２を制御している。
【００４９】
以上のように構成された本実施の形態における吸込具１について、以下、その動作、作用を説明する。
【００５０】
まず、使用者が掃除を行うために掃除機本体が商用電源５０に接続されると、通電検知手段６１によって本体制御手段６２に検知信号が伝達される。
【００５１】
次に使用者が、手元操作部２５を操作し、例えば、「強」を選択すると、本体制御手段６２は、手元操作部２５からの情報を基に、電動送風機駆動手段６３に予め定められた信号を送り、電動送風機４９を駆動させる。電動送風機４９による吸引力は、掃除機本体に接続されたホース（図示せず）等を介して、ベンドパイプ３に塵埃検出手段３８を有する吸込具１に至る。
【００５２】
掃除を行っている際の電動送風機４９の吸引風によって発電機３５の羽根（図示せず）が回転し、発電機３５によって発電された電力が、塵埃検出手段３８と、塵埃報知手段４７と、風量調整手段４２と、制御手段７２の電源として制御基板２９より供給される。
【００５３】
掃除機本体の吸引風は、「強」ポジションでの吸込具１の吸込口４の密閉や「弱」ポジションでの塵埃堆積時など、掃除状態によりタービン１８の回転数がばらつくため、回転数を一定にするため、発電機３５から回転ブラシ１０の回転数に比例した発電電圧または発電電流を検出する発電量検出量が一定となるように調整するため風量調整手段４２によりタービン１８に流入する風量を調節する風量調整弁（図示せず）を設けている。
【００５４】
塵埃を吸引した場合、対向して備えている発光素子３８ｂと受光素子３８ａの間に塵埃が通過すると、受光素子３８ａの受光量が変化し、その受光量に対応して受光素子３８ａの出力電圧も変化する。
【００５５】
制御基板３６上の増幅器３８ｄは受光素子３８ａの変化量（交流成分）のみを増幅して、その交流成分の振幅に応じた電圧を制御手段７２に出力し、その出力によって制御手段７２は、塵埃の有無を判断し、表示素子から成る塵埃報知手段４７に出力し点灯表示するとともに、上述したように、電動機などからなる風量調整手段４２に出力し、タービン１８への吸込み風量を増加させて回転ブラシ１０の回転数を上げる。
【００５６】
以上のように、本実施の形態における電気掃除機用吸込具においては、発電量検出手段７１の出力に応じて風量調整手段４２にて前記風量調整弁の調整を行い、回転ブラシ１０の回転数を制御することにより、吸引風の大小および被清掃面の種類に関係なく、常に安定した回転ブラシ１０の回転数制御ができ、塵埃検知時には前記塵埃報知表示と連動して回転数を上げることにより、吸い込み性能を向上させることができる。
【００５７】
（実施の形態２）
以下、本発明の第２の実施の形態における電気掃除機用吸込具について図５を用いて説明する。図５は、同電気掃除機用吸込具及びそれが接続される電気掃除機の制御ブロック図である。なお、上記実施の形態１における電気掃除機用吸込具と同一構成の部品については同一符号を付し、説明を省略する。
【００５８】
本実施の形態における電気掃除機用吸込具は、図５に示すように清掃面がどのような種類であるか検出する清掃面検出手段７４を設けたもので、他の構成は、上記実施の形態１における電気掃除機用吸込具と同一である。清掃面検出手段７４としては、光学的に清掃面への反射光の強度を判定することにより判断するもの等がある。
【００５９】
掃除を行っている際に、掃除機本体に内蔵された電動送風機の吸引風によって、発電機３５によって発電された電力が、清掃面検出手段７４の電源として制御基板２９より供給される。
【００６０】
清掃面検出手段７４により、清掃面が、塵埃が絡みつき吸い上げにくい絨毯のような清掃面の場合、制御手段７２は、風量調整手段４２に出力し、タービン１８への吸込み風量を増加させて清掃面が床であるときより回転ブラシ１０の回転数を上げる。
【００６１】
以上のように、本実施の形態においては、塵埃が絡みつき吸い上げにくい絨毯のような清掃面であるときには清掃面が床であるときより回転ブラシ１０の回転数を上げることにより、吸い込み性能を向上させることができる。
【００６２】
また、予め設定している電圧以上のときに動作報知を行うことにより、使用者に塵埃検出手段３８と塵埃報知手段４７が正常に動作できていることを知らせることができる。
【００６３】
また、塵埃検出手段３８と塵埃報知手段４７の電源供給電圧を検出する電圧検出手段（図示せず）と、電圧検出手段の出力が予め設定している電圧以上のときに、塵埃検出手段３８と前記塵埃報知手段４７が動作していることを報知する動作報知手段（図示せず）を備えれば、使用者に塵埃検出手段３８と塵埃報知手段４７が正常に動作していることを知らせることができ、使用勝手が向上する。
【００６４】
また、上記実施の形態１又は、２に記載した吸込具１を電気掃除機に接続すれば、効率的な掃除ができ使い勝手のよい電気掃除機を提供することができる。
【産業上の利用可能性】
【００６５】
以上のように、本発明にかかる吸込具は、回転ブラシの回転数に比例した発電電圧または発電電流を検出し、吸引風の大小および被清掃面の種類に関係なく、常に安定した回転ブラシの回転数制御ができるため、塵埃検知時には塵埃報知表示と連動して回転ブラシの回転数を上げ吸い込み性能を向上させることができるとともに、使用者に塵埃検知が動作できていることをお知らせすることができ、さらに清掃面の種類により回転数を変化させることができ、使い勝手の良いもので、家庭用、業務用、店舗用の各種電気掃除機に適用できる。
【符号の説明】
【００６６】
１  電気掃除機用吸込具（吸込具）
１０  回転ブラシ
１４  吸込風路
１８  タービン
２９、３６  制御基板
３５  発電機（発電手段）
３８  塵埃検出手段
４２  風量調整手段
４７  塵埃報知手段
４９  電動送風機
７１  発電量検出手段
７２  制御手段
【図４】
2013230171.tif 000003
【図５】
2013230171.tif 000004
【図１】
2013230171.tif 000005
【図２】
2013230171.tif 000006
【図３】
2013230171.tif 000007